(57)【特許請求の範囲】
【請求項１】
イオンを分析するための分析装置であって、
物理化学的特性に基づいてイオンを分離するためのセパレータと、
１つ以上のイオンガイドを備えるインターフェースであって、それぞれのイオンガイドが複数の電極を備える、インターフェースと、
前記インターフェースの下流に配置された四重極ロッドセット質量または質量電荷比フィルタと、
（ｉ）前記セパレータから出射する第１のイオン群を第１の通過時間ｔ１で前記インターフェースを通って輸送し、かつ
（ｉｉ）前記セパレータから引き続いて出射する第２のイオン群を第２の異なる通過時間ｔ２で前記インターフェースを通って輸送するように配置及び適合される、制御システムと、を備える前記分析装置。
【請求項２】
前記物理化学的特性が、イオン移動度または微分型イオン移動度を含む、請求項１に記載の分析装置。
【請求項３】
前記セパレータがイオン移動度セパレータまたは微分型イオン移動度セパレータを備える、請求項２に記載の分析装置。
【請求項４】
前記物理化学的特性が質量または質量電荷比を含む、請求項１に記載の分析装置。
【請求項５】
前記セパレータが飛行時間領域を含む、請求項４に記載の分析装置。
【請求項６】
前記制御システムが、通過時間ｔ２で、前記インターフェースを通って前記第２のイオン群を輸送するように配置及び適合され、ｔ２＞ｔ１、である、請求項１〜５のいずれか一項に記載の分析装置。
【請求項７】
前記制御システムは、前記第１のイオン群が第１の速度で前記１つ以上のイオンガイドに沿って並進されるように１つ以上の過渡直流電圧または電位を前記複数の電極に印加するように更に配置及び適合される、請求項１〜６のいずれか一項に記載の分析装置。
【請求項８】
前記制御システムは、前記第２のイオン群が第２の異なる速度で前記１つ以上のイオンガイドに沿って並進されるように１つ以上の過渡直流電圧または電位を前記複数の電極に印加するように更に配置及び適合される、請求項７に記載の分析装置。
【請求項９】
前記第２の速度が前記第１の速度よりも遅い、請求項８に記載の分析装置。
【請求項１０】
前記制御システムが、前記第１のイオン群が第１の速度で前記１つ以上のイオンガイドに沿って付勢されるように前記１つ以上のイオンガイドに沿って第１の直流電圧または電位勾配を第１の時点において維持するように更に配置及び適合される、請求項１〜９のいずれか一項に記載の分析装置。
【請求項１１】
前記制御システムは、前記第２のイオン群が第２の異なる速度で前記１つ以上のイオンガイドに沿って付勢されるように前記１つ以上のイオンガイドに沿って第２の直流電圧または電位勾配を第２のより後の時点において維持するように更に配置及び適合される、請求項１０に記載の分析装置。
【請求項１２】
前記第２の直流電圧または電位勾配が前記第１の直流電圧または電位勾配未満である、請求項１１に記載の分析装置。
【請求項１３】
前記制御システムが、
（ｉ）前記質量または質量電荷比フィルタにより、第１の質量または質量電荷比の範囲内に質量または質量電荷比を有するイオンを輸送させ、次いで
（ｉｉ）前記質量または質量電荷比フィルタにより、第２の異なる質量または質量電荷比の範囲内で質量または質量電荷比を有するイオンを輸送させるように更に配置及び調節される、請求項１〜１２のいずれか一項に記載の分析装置。
【請求項１４】
前記制御システムが、前記セパレータ内でのイオンの単一の分離サイクル内または単一の分離サイクル中に、前記セパレータから出射する前記第１のイオン群を第１の通過時間ｔ１で前記インターフェースを通って輸送し、かつ前記セパレータから引き続いて出射する前記第２のイオン群を第２の異なる通過時間ｔ２で前記インターフェースを通って輸送するように配置及び適合される、請求項１〜１３のいずれか一項に記載の分析装置。
【請求項１５】
請求項１〜１４のいずれか一項に記載の分析装置を備える質量分析計。
【請求項１６】
イオンを分析する方法であって、
セパレータ内で物理化学的特性に基づいてイオンを分離することと、
１つ以上のイオンガイドであって、それぞれのイオンガイドがインターフェースの下流に配置される複数の電極及び四重極ロッドセット質量または質量電荷比フィルタを備える、１つ以上のイオンガイドを備える前記インターフェースを提供することと、
前記セパレータから出射する第１のイオン群を第１の通過時間ｔ１で前記インターフェースを通って輸送することと、
前記セパレータから引き続いて出射する第２のイオン群を第２の異なる通過時間ｔ２で前記インターフェースを通って輸送することと、を含む前記方法。
【請求項１７】
前記セパレータから出射する前記第１のイオン群を第１の通過時間ｔ１で前記インターフェースを通って輸送する工程、及び前記セパレータから引き続いて出射する前記第２のイオン群を第２の異なる通過時間ｔ２で前記インターフェースを通って輸送する工程が、前記セパレータ内でのイオンの単一の分離サイクル内または単一の分離サイクル中に行なわれる、請求項１６に記載の方法。
【請求項１８】
請求項１６または１７に記載の方法を含む質量分析方法。
【発明の詳細な説明】
【技術分野】
【０００１】
関連出願の相互参照
本出願は２０１３年３月６日に出願された英国特許出願第１３０４０３７．３号及び２０１３年３月６日に出願された欧州特許出願第１３１５８０４７．４号からの優先権及びそれらの利益を主張する。これらの出願の内容全体が参照によって本明細書に組み込まれている。
【背景技術】
【０００２】
本発明は分析装置、質量分析計、イオン分析方法、及び質量分析方法に関する。好適な実施形態は四重極ロッドセットマスフィルタの上流に結合及び配置されるイオン移動度セパレータ（「ＩＭＳ」）に関する。
【０００３】
イオン移動度セパレータまたは分析計（「ＩＭＳ」）に関連付けられるタイムスケールは、イオン移動度分析計の下流に配置される分解型四重極（「Ｑ」）がイオン移動度分析計またはセパレータの単一の実験またはサイクルにおいて異なる成分の輸送間を切り換える能力などの、実践上の難しさを提示している。
【０００４】
四重極マスフィルタの上流に配置されるイオン移動度分析計を備える従来の質量分析計に伴う特定の問題は、イオン移動度分析計から接近して溶離している分析物イオンのイオン移動度分離タイムスケール（例えば、２００μｓ）が、質量電荷比輸送窓を切り換えるのに例えば１ｍｓかかることもある四重極にとって高速過ぎることもあり得るということである。結果として、イオン移動度分析計は、イオン移動度分析計、四重極マスフィルタ、及び飛行時間質量分析器を備える質量分析計において、イオン検出器のダイナミックレンジなどのシステム性能に大幅な制限を課する。
【０００５】
ＵＳ  ２００２／００７０３３８（Ｌｏｂｏｄａ）は、飛行時間質量分析器９０の上流に配置されるイオン移動度部６６及び四重極ロッドセット７８を図５に開示している。
【０００６】
ＷＯ  ０２／０７１８５（Ｃｌｅｍｍｅｒ）は、イオン移動度分析計３４が飛行時間質量分析器３６の上流に配置される配置を図１７に開示している。
【０００７】
ＵＳ  ２００５／０２４２２７９（Ｖｅｒｅｎｔｃｈｉｋｏｖ）は、タンデム飛行時間質量分析計を開示している。
【０００８】
ＵＳ  ２０１１／０１２７４１７（Ｉｂｒａｈｉｍ）は、荷電粒子の衝突活性化のシステム及び方法を開示している。
【０００９】
ＧＢ−２４９７９５８（Ｍａｋａｒｏｖ）は、タンデム質量分析用の衝突セルを開示している。
【００１０】
ＧＢ−２３９１６９７（Ｍｉｃｒｏｍａｓｓ）は、直交加速式飛行時間質量分析器と同期的にイオンを受け取りかつイオンを放出するイオンガイドを有する質量分析計を開示している。
【００１１】
ＧＢ−２３９７４３３（Ｍｉｃｒｏｍａｓｓ）は、パルス化イオン源からのイオンが内部に複数の捕捉領域が作成されているイオンガイドによって受け取られる質量分析計を開示している。
【００１２】
ＧＢ−２４５１１４９（Ｍｉｃｒｏｍａｓｓ）は、デュアルモードイオン移動度質量分析装置を開示している。
【００１３】
ＧＢ−２４２１８４０（Ｍｉｃｒｏｍａｓｓ）は、イオン移動度分析計の下流に位置するイオンガイドを備える質量分析計を開示している。
【００１４】
ＧＢ−２４８５６６７（Ｍｉｃｒｏｍａｓｓ）は、水素−重水素交換を行なうために配置される気相イオン中性反応装置を備える質量分析計を開示している。
【００１５】
改良された質量分析計及び質量分析方法を提供することが望まれている。
【発明の概要】
【００１６】
本発明の一態様によると、イオンを分析するための分析装置であって、
物理化学的特性に基づいてイオンを分離するためのセパレータと、
１つ以上のイオンガイドを備えるインターフェースであって、それぞれのイオンガイドが複数の電極を備える、インターフェースと、
該インターフェースの下流に配置された四重極ロッドセット質量または質量電荷比フィルタと、
（ｉ）該セパレータから出射する第１のイオン群を第１の通過時間ｔ１で該インターフェースを通って輸送し、かつ
（ｉｉ）該セパレータから引き続いて出射する第２のイオン群を第２の異なる通過時間ｔ２で該インターフェースを通って輸送するように配置及び適合される、制御システムと、を備える該分析装置が提供される。
【００１７】
ＵＳ  ２００２／００７０３３８（Ｌｏｂｏｄａ）は、比較的に高速なイオン移動度分析計が比較的に遅い四重極マスフィルタに結合可能にするようにイオン移動度分析計と四重極マスフィルタとの間にインターフェースを提供すること及びイオン移動度分析計から出射するイオン群を異なる通過時間でインターフェースを通って輸送するように配置することを開示していない。
【００１８】
本発明のこの好適な実施形態は、イオン移動度装置の高速分離タイムスケールに関連した欠点のいくつかを緩和し、かつ特に比較的に高速セパレータなどのイオン移動度分析計またはセパレータ装置（または他のセパレータ）が四重極マスフィルタなどのより遅い装置とインターフェース接続することを可能にする。
【００１９】
対象イオンについて最適化されたイオン移動度分離タイムスケールは、既存及び将来のイオン移動度分析計またはセパレータを利用した計測器に対して実施可能な新規の動作モードである。
【００２０】
本発明によって、イオン移動度別に分離され、次いで、質量電荷比別に濾過されるイオンの実験的タイムスケールを、システム全体としての性能を改善するように変更することが可能になる。
【００２１】
本発明は、四重極ロッドセットマスフィルタが他のイオン光学装置または構成要素によって置き換えられる他の実施形態に拡張され得る。このイオン光学装置または構成要素は、上流セパレータによって時間的に分離される接近して溶離している２つのイオンの分離時間よりも遅い応答時間を有することが好ましい。しかたがって、四重極ロッドセットマスフィルタの提供は望ましいことであるが本発明にとって不可欠ではないことが理解されるべきである。
【００２２】
本発明の一態様によると、イオンを分析するための分析装置であって、
物理化学的特性に基づいてイオンを分離するためのセパレータと、
インターフェースと、
（ｉ）該セパレータから出射する第１のイオン群を第１の通過時間ｔ１で該インターフェースを通って輸送し、かつ
（ｉｉ）該セパレータから引き続いて出射する第２のイオン群を第２の異なる通過時間ｔ２で該インターフェースを通って輸送するように配置及び適合される制御システムと、を備える該分析装置が提供される。
【００２３】
該物理化学的特性は、好ましくは、イオン移動度または微分型イオン移動度を含む。
【００２４】
該セパレータは、好ましくは、イオン移動度セパレータまたは微分型イオン移動度セパレータを備える。
【００２５】
該物理化学的特性は、好ましくは、質量または質量電荷比を含む。
【００２６】
該セパレータは、好ましくは、飛行時間領域を含む。
【００２７】
該制御システムは、好ましくは、該第２のイオン群を通過時間ｔ２で該インターフェースを通って輸送するように配置及び適合され、ｔ２＞ｔ１である。
【００２８】
該インターフェースは、好ましくは、１つ以上のイオンガイドであって、それぞれのイオンガイドが複数の電極を備える、１つ以上のイオンガイドを備える。
【００２９】
該制御システムは、好ましくは、該第１のイオン群が第１の速度で該１つ以上のイオンガイドに沿って並進されるように１つ以上の過渡直流電圧または電位を該複数の電極に印加するように更に配置及び適合される。
【００３０】
該制御システムは、好ましくは、該第２のイオン群が第２の異なる速度で該１つ以上のイオンガイドに沿って並進されるように１つ以上の過渡直流電圧または電位を該複数の電極に印加するように更に配置及び適合される。
【００３１】
該第２の速度は、好ましくは、該第１の速度よりも遅い。
【００３２】
該制御システムは、好ましくは、該第１のイオン群が第１の速度で該１つ以上のイオンガイドに沿って付勢されるように該１つ以上のイオンガイドに沿って第１の直流電圧または電位勾配を第１の時点において維持するように更に配置及び適合される。
【００３３】
該制御システムは、好ましくは、該第２のイオン群が第２の異なる速度において該１つ以上のイオンガイドに沿って付勢されるように該１つ以上のイオンガイドに沿って第２の直流電圧または電位勾配を第２のより後の時点において維持するように更に配置及び適合される。
【００３４】
該第２の直流電圧または電位勾配は、好ましくは、該第１の直流電圧または電位勾配未満である。
【００３５】
該分析装置は、好ましくは、該インターフェースの下流に配置されたフィルタを更に備える。該フィルタは、好ましくは、質量または質量電荷比フィルタを備える。該フィルタは、好ましくは、四重極ロッドセット質量または質量電荷比フィルタを備える。
【００３６】
該制御システムは、好ましくは、
（ｉ）該質量または質量電荷比フィルタにより、第１の質量または質量電荷比の範囲内に質量または質量電荷比を有するイオンを輸送させ、次いで
（ｉｉ）該質量または質量電荷比フィルタにより、第２の異なる質量または質量電荷比の範囲内で質量または質量電荷比を有するイオンを輸送させるように更に配置及び調節される。
【００３７】
該フィルタは、好ましくは、イオン移動度または微分型イオン移動度フィルタを備える。
【００３８】
該制御システムは、好ましくは、
（ｉ）該イオン移動度または微分型イオン移動度フィルタにより、第１のイオン移動度または微分型イオン移動度の範囲内でイオン移動度または微分型イオン移動度を有するイオンを輸送させ、次いで、
（ｉｉ）該イオン移動度または微分型イオン移動度フィルタにより、第２の異なるイオン移動度または微分型イオン移動度の範囲内でイオン移動度または微分型イオン移動度を有するイオンを輸送させるように更に配置及び調節される。
【００３９】
該制御システムは、好ましくは、該セパレータ内でイオンの単一の分離サイクル内または単一の分離サイクル中に、該セパレータから出射する該第１のイオン群を第１の通過時間ｔ１で該インターフェースを通って輸送するように及び該セパレータから引き続いて出射する該第２のイオン群を第２の異なる通過時間ｔ２で該インターフェースを通って輸送するように配置及び適合される。
【００４０】
本発明の一態様によると、前述のような分析装置を備える質量分析計が提供される。
【００４１】
本発明の一態様によると、イオンを分析する方法であって、
セパレータ内で物理化学的特性に基づいてイオンを分離することと、
１つ以上のイオンガイドであって、それぞれのイオンガイドが該インターフェースの下流に配置される複数の電極及び四重極ロッドセット質量または質量電荷比フィルタを備える、１つ以上のイオンガイドを備える、インターフェースを提供することと、
該セパレータから出射する第１のイオン群を第１の通過時間ｔ１で該インターフェースを通って、輸送することと、
該セパレータから引き続いて出射する第２のイオン群を第２の異なる通過時間ｔ２で該インターフェースを通って輸送することと、を含む該方法が提供される。
【００４２】
該セパレータから出射する該第１のイオン群を第１の通過時間ｔ１で該インターフェースを通って輸送する工程、及び該セパレータから引き続いて出射する該第２のイオン群を第２の異なる通過時間ｔ２で該インターフェースを通って輸送する工程は、好ましくは、該セパレータ内でイオンの単一の分離サイクル内または単一の分離サイクル中に行われる。
【００４３】
本発明の一態様によると、前述の方法を含む質量分析方法が提供される。
【００４４】
本発明の一態様によると、イオンを分析する分析装置であって、
物理化学的特性に基づいてイオンを分離するためのセパレータと、
インターフェースと、
（ｉ）該セパレータから出射する第１のイオン群を第１の通過時間ｔ１で該インターフェースを通って第１のイオン経路を介して通って輸送し、かつ
（ｉｉ）該セパレータから引き続いて出射する第２のイオン群を第２の異なる通過時間ｔ２で該インターフェースを通って第２の異なる（例えば、より長い）イオン経路を介して輸送するように配置及び適合される、制御システムと、を備える分析装置が提供される。
【００４５】
該制御システムは、好ましくは、該セパレータ内でイオンの単一の分離サイクル内または単一の分離サイクル中に、該セパレータから出射する該第１のイオン群を第１の通過時間ｔ１で該インターフェース通って第１のイオン経路を介して輸送し、かつ該セパレータから引き続いて出射する第２のイオン群を第２の異なる通過時間ｔ２で該インターフェースを通って第２の異なる（例えばより長い）イオン経路を介して輸送するように配置及び適合される。
【００４６】
本発明の一態様によると、イオンを分析する方法であって、
セパレータ内で物理化学的特性に基づいてイオンを分離することと、
インターフェースを提供することと、
該セパレータから出射する第１のイオン群を第１の通過時間ｔ１でインターフェースを通って第１のイオン経路を介して輸送することと、
該セパレータから引き続いて出射する第２のイオン群を第２の異なる通過時間ｔ２で該インターフェースを通って第２の異なる（例えばより長い）イオン経路を介して輸送することと、を含む該方法が提供される。
【００４７】
該セパレータから出射する該第１のイオン群を第１の通過時間ｔ１で該インターフェースを通って第１のイオン経路を介して輸送する工程、及び該セパレータから引き続いて出射する第２のイオン群を第２の異なる通過時間ｔ２で該インターフェース通って第２の異なる（例えばより長い）イオン経路を介して輸送する工程が、好ましくは、該セパレータ内でイオンの単一の分離サイクル内または単一の分離サイクル中に行なわれる。
【００４８】
本発明の一態様によると、イオンを分析する分析装置であって、
物理化学的特性に基づいてイオンを分離するためのセパレータと、
インターフェースと、
該セパレータ内でイオンの単一の分離サイクル内で、該セパレータから出射する第１のイオン群を第１の通過時間ｔ１で該インターフェースを通って輸送し、かつ該セパレータから引き続いて出射する第２のイオン群を第２の異なる通過時間ｔ２で該インターフェースを通って輸送するように配置及び適合される制御システムと、を備える該分析装置が提供される。
【００４９】
本発明の一態様によると、イオンを分析する方法であって、
セパレータ内で物理化学的特性に基づいてイオンを分離することと、
インターフェースを提供することと、
該セパレータ内でイオンの単一分離サイクル中に、該セパレータから出射する第１のイオン群を第１の通過時間ｔ１で該インターフェースを通って輸送すること、及び該セパレータから引き続いて出射する第２のイオン群を第２の異なる通過時間ｔ２で該インターフェースを通って輸送することと、を含む該方法が提供される。
【００５０】
一実施形態によると、該質量分析計は、
（ａ）（ｉ）エレクトロスプレーイオン化（ＥＳＩ）イオン源、（ｉｉ）大気圧光イオン化（ＡＰＰＩ）イオン源、（ｉｉｉ）大気圧化学イオン化（ＡＰＣＩ）イオン源、（ｉｖ）マトリックス支援レーザー脱離イオン化（ＭＡＬＤＩ）イオン源、（ｖ）レーザー脱離イオン化（ＬＤＩ）イオン源、（ｖｉ）大気圧イオン化（ＡＰＩ）イオン源、（ｖｉｉ）シリコン基板上脱離イオン化（ＤＩＯＳ）イオン源、（ｖｉｉｉ）電子衝撃（ＥＩ）イオン源、（ｉｘ）化学イオン化（ＣＩ）イオン源、（ｘ）電界イオン化（ＦＩ）イオン源、（ｘｉ）電界脱離（ＦＤ）イオン源、（ｘｉｉ）誘導結合プラズマ（ＩＣＰ）イオン源、（ｘｉｉｉ）高速原子衝撃（ＦＡＢ）イオン源、（ｘｉｖ）液体二次イオン質量分析（ＬＳＩＭＳ）イオン源、（ｘｖ）脱離エレクトロスプレーイオン化（ＤＥＳＩ）イオン源、（ｘｖｉ）ニッケル６３放射性イオン源、（ｘｖｉｉ）大気圧マトリクス支援レーザー脱離イオン化イオン源、（ｘｖｉｉｉ）サーモスプレーイオン源、（ｘｉｘ）大気サンプリンググロー放電イオン化（「ＡＳＧＤＩ」）イオン源、（ｘｘ）グロー放電（「ＧＤ」）イオン源、（ｘｘｉ）インパクタイオン源、（ｘｘｉｉ）リアルタイム直接分析（「ＤＡＲＴ」）イオン源、（ｘｘｉｉｉ）レーザースプレーイオン化（「ＬＳＩ」）イオン源、（ｘｘｉｖ）ソニックスプレーイオン化（「ＳＳＩ」）イオン源、（ｘｘｖ）マトリックス支援インレットイオン化（「ＭＡＩＩ」）イオン源、及び（ｘｘｖｉ）溶媒支援インレットイオン化（「ＳＡＩＩ」）イオン源から成る群から選択されたイオン源、ならびに／あるいは
（ｂ）１つ以上の連続またはパルス化イオン源、ならびに／あるいは
（ｃ）１つ以上のイオンガイド、ならびに／あるいは
（ｄ）１つ以上のイオン移動度分離装置及び／または１つ以上の非対称電場イオン移動度分析計デバイス、ならびに／あるいは
（ｅ）１つ以上のイオントラップまたは１つ以上のイオン捕捉領域、ならびに／あるいは
（ｆ）（ｉ）衝突誘起解離（「ＣＩＤ」）フラグメンテーションデバイス、（ｉｉ）表面誘起解離（「ＳＩＤ」）フラグメンテーションデバイス、（ｉｉｉ）電子移動解離（「ＥＴＤ」）フラグメンテーションデバイス、（ｉｖ）電子捕獲解離（「ＥＣＤ」）フラグメンテーションデバイス、（ｖ）電子衝突または衝撃解離フラグメンテーションデバイス、（ｖｉ）光誘起解離（「ＰＩＤ」）フラグメンテーションデバイス、（ｖｉｉ）レーザー誘起解離フラグメンテーションデバイス、（ｖｉｉｉ）赤外放射誘起解離デバイス、（ｉｘ）紫外放射誘起解離デバイス、（ｘ）ノズル−スキマー間インターフェースフラグメンテーションデバイス、（ｘｉ）インソースフラグメンテーションデバイス、（ｘｉｉ）インソース衝突誘起解離フラグメンテーションデバイス、（ｘｉｉｉ）熱または温度源フラグメンテーションデバイス、（ｘｉｖ）電界誘起フラグメンテーションデバイス、（ｘｖ）磁場誘起フラグメンテーションデバイス、（ｘｖｉ）酵素消化または酵素分解フラグメンテーションデバイス、（ｘｖｉｉ）イオン−イオン反応フラグメンテーションデバイス、（ｘｖｉｉｉ）イオン−分子反応フラグメンテーションデバイス、（ｘｉｘ）イオン−原子反応フラグメンテーションデバイス、（ｘｘ）イオン−準安定イオン反応フラグメンテーションデバイス、（ｘｘｉ）イオン−準安定分子反応フラグメンテーションデバイス、（ｘｘｉｉ）イオン−準安定原子反応フラグメンテーションデバイス、（ｘｘｉｉｉ）イオンを反応させて付加イオンまたは生成イオンを形成するイオン−イオン反応デバイス、（ｘｘｉｖ）イオンを反応させて付加イオンまたは生成イオンを形成するイオン−分子反応デバイス、（ｘｘｖ）イオンを反応させて付加イオンまたは生成イオンを形成するイオン−原子反応デバイス、（ｘｘｖｉ）イオンを反応させて付加イオンまたは生成イオンを形成するイオン−準安定イオン反応デバイス、（ｘｘｖｉｉ）イオンを反応させて付加イオンまたは生成イオンを形成するイオン−準安定分子反応デバイス、（ｘｘｖｉｉｉ）イオンを反応させて付加イオンまたは生成イオンを形成するイオン−準安定原子反応デバイス、及び（ｘｘｉｘ）電子イオン化解離（「ＥＩＤ」）フラグメンテーションデバイスからなる群から選択される１つ以上の衝突、フラグメンテーションまたは反応セル、ならびに／あるいは
（ｇ）（ｉ）四重極質量分析器、（ｉｉ）二次元または線形四重極質量分析器、（ｉｉｉ）ポールまたは三次元四重極質量分析器、（ｉｖ）ペニングトラップ質量分析器、（ｖ）イオントラップ質量分析器、（ｖｉ）磁場型質量分析器、（ｖｉｉ）イオンサイクロトロン共鳴（「ＩＣＲ」）質量分析器、（ｖｉｉｉ）フーリエ変換イオンサイクロトロン共鳴（「ＦＴＩＣＲ」）質量分析器、（ｉｘ）静電またはオービトラップ質量分析器、（ｘ）フーリエ変換静電またはオービトラップ質量分析器、（ｘｉ）フーリエ変換質量分析器、（ｘｉｉ）飛行時間質量分析器、（ｘｉｉｉ）直交加速式飛行時間質量分析器、及び（ｘｉｖ）直線加速式飛行時間質量分析器からなる群から選択される質量分析器、ならびに／あるいは、
（ｈ）１つ以上のエネルギー分析器または静電エネルギー分析器、ならびに／あるいは
（ｉ）１つ以上のイオン検出器、ならびに／あるいは
（ｊ）（ｉ）四重極マスフィルタ、（ｉｉ）二次元または線形四重極イオントラップ、（ｉｉｉ）ポールまたは三次元四重極イオントラップ、（ｉｖ）ペニングイオントラップ、（ｖ）イオントラップ、（ｖｉ）磁場型マスフィルタ、（ｖｉｉ）飛行時間マスフィルタ、及び（ｖｉｉｉ）ウィーンフィルタから成る群から選択される１つ以上のマスフィルタ、ならびに／あるいは
（ｋ）イオンをパルス状にするためのデバイスまたはイオンゲート、ならびに／あるいは
（ｌ）実質的に連続したイオンビームをパルス化したイオンビームに変換するデバイスをさらに備えてもよい。
【００５１】
質量分析計は、
（ｉ）Ｃトラップ、及びクアドロ対数電位分布を有する静電場を形成する外側腹状電極及び同軸内側スピンドル状電極を備える質量分析器を更に備えてよく、第１の動作モードにおいて、イオンがＣ−トラップに移送された後、質量分析器に注入され、第２の動作モードにおいて、イオンはＣ−トラップに移送された後、衝突セルまたは電子移動解離デバイスに移送されて、そこで少なくとも一部のイオンが断片化されてフラグメントイオンとなり、次に、フラグメントイオンはＣ−トラップに移送されてから質量分析器に注入され、ならびに／あるいは
（ｉｉ）複数の電極を含む積層リングイオンガイドであって、各電極は、使用時に移送されるイオンが通過する開口を有し、イオン経路の長さに沿って電極の間の間隔が増加する積層リングイオンガイドをさらに備えてもよい。イオンガイドの上流部における複数の電極のそれぞれの開口は第１の直径を有しともよく、イオンガイドの下流部における複数の電極のそれぞれの開口は、第１の直径よりも小さい第２の直径を有してもよい。使用時に、連続する電極にＡＣまたはＲＦ電圧の反対の位相が印加される、積層リングイオンガイドのいずれかを更に備えてよい。
【００５２】
実施形態によると、質量分析計はＡＣまたはＲＦ電圧を複数の電極に供給するように配置及び適合されるデバイスを更に備える。ＡＣまたはＲＦ電圧は、好ましくは、（ｉ）＜５０Ｖピーク・トゥ・ピーク、（ｉｉ）５０〜１００Ｖピーク・トゥ・ピーク、（ｉｉｉ）１００〜１５０Ｖピーク・トゥ・ピーク、（ｉｖ）１５０〜２００Ｖピーク・トゥ・ピーク、（ｖ）２００〜２５０Ｖピーク・トゥ・ピーク、（ｖｉ）２５０〜３００Ｖピーク・トゥ・ピーク、（ｖｉｉ）３００〜３５０Ｖピーク・トゥ・ピーク、（ｖｉｉｉ）３５０〜４００Ｖピーク・トゥ・ピーク、（ｉｘ）４００〜４５０Ｖピーク・トゥ・ピーク、（ｘ）４５０〜５００Ｖピーク・トゥ・ピーク、及び（ｘｉ）＞５００Ｖピーク・トゥ・ピークから成る群から選択される振幅を有する。
【００５３】
ＡＣまたはＲＦ電圧は、好ましくは、（ｉ）＜１００ｋＨｚ、（ｉｉ）１００〜２００ｋＨｚ、（ｉｉｉ）２００〜３００ｋＨｚ、（ｉｖ）３００〜４００ｋＨｚ、（ｖ）４００〜５００ｋＨｚ、（ｖｉ）０．５〜１．０ＭＨｚ、（ｖｉｉ）１．０〜１．５ＭＨｚ、（ｖｉｉｉ）１．５〜２．０ＭＨｚ、（ｉｘ）２．０〜２．５ＭＨｚ、（ｘ）２．５〜３．０ＭＨｚ、（ｘｉ）３．０〜３．５ＭＨｚ、（ｘｉｉ）３．５〜４．０ＭＨｚ、（ｘｉｉｉ）４．０〜４．５ＭＨｚ、（ｘｉｖ）４．５〜５．０ＭＨｚ、（ｘｖ）５．０〜５．５ＭＨｚ、（ｘｖｉ）５．５〜６．０ＭＨｚ、（ｘｖｉｉ）６．０〜６．５ＭＨｚ、（ｘｖｉｉｉ）６．５〜７．０ＭＨｚ、（ｘｉｘ）７．０〜７．５ＭＨｚ、（ｘｘ）７．５〜８．０ＭＨｚ、（ｘｘｉ）８．０〜８．５ＭＨｚ、（ｘｘｉｉ）８．５〜９．０ＭＨｚ、（ｘｘｉｉｉ）９．０〜９．５ＭＨｚ、（ｘｘｉｖ）９．５〜１０．０ＭＨｚ、及び（ｘｘｖ）＞１０．０ＭＨｚから成る群から選択される周波数を有する。
【００５４】
該質量分析計はまた、イオン源の上流にクロマトグラフィまたは他の分離装置を備えてよい。一実施形態によると、クロマトグラフィ分離装置は、液体クロマトグラフィまたは気体クロマトグラフィ装置を備えてよい。別の実施形態によると、分離装置は、（ｉ）キャピラリ電気泳動（「ＣＥ」）分離装置、（ｉｉ）キャピラリエレクトロクロマトグラフィ（「ＣＥＣ」分離装置、（ｉｉｉ）実質的に剛性セラミック系多層マイクロ流体基板（「セラミックタイル」）分離装置、または（ｉｖ）超臨界流体クロマトグラフィ分離装置を備えてよい。
【００５５】
イオンガイドは、好ましくは、（ｉ）＜０．０００１ｍｂａｒ、（ｉｉ）０．０００１〜０．００１ｍｂａｒ、（ｉｉｉ）０．００１〜０．０１ｍｂａｒ、（ｉｖ）０．０１−０．１ｍｂａｒ、（ｖ）０．１〜１ｍｂａｒ、（ｖｉ）１〜１０ｍｂａｒ、（ｖｉｉ）１０〜１００ｍｂａｒ、（ｖｉｉｉ）１００〜１０００ｍｂａｒ、及び（ｉｘ）＞１０００ｍｂａｒから成る群から選択された圧力に維持される。
【図面の簡単な説明】
【００５６】
本発明の様々な実施形態は、ここで、一例としてのみ及び添付図面を参照して記載されることになる。
【００５７】
【図１】イオン移動度分析計またはセパレータ装置と、インターフェースまたは移送装置と、四重極ロッドセットマスフィルタと、ガスセルと、直交加速式飛行時間質量分析器と、を備える本発明の一実施形態に係る質量分析計を示している。
【図２】図１に示す位置Ａ、Ｂ、及びＤにおけるイオン移動度実験の開始に関して２つの目的とするイオンの時間的分離を示している。
【図３】イオン移動度分析計またはセパレータ装置を用いたイオンの分離間のタイムスケールの差及び四重極マスフィルタを切り換える能力が、単離段階の効果を制限できる様子を示している。
【図４】本発明の好適な実施形態に従ってインターフェースまたは移送領域を通ってイオンの通過時間を増大させる効果を示している。
【図５】ガスセルの出口において分離された２成分を示す。
【図６】ガスセルが、一実施形態により、ダイナミックレンジを改善するためにＩＭＳピークの忠実度の若干の喪失を許容するように構成され得る様子を示している。
【図７】イオンゲートがインターフェースまたは移送装置の上流に提供される更なる実施形態を示す。
【発明を実施するための形態】
【００５８】
図１は本発明一実施形態に係るＩＭＳ−Ｑ−ＴｏＦ質量分析計の簡略模式図を示す。この質量分析計は、イオン移動度セパレータ（「ＩＭＳ」）２と、インターフェースまたは移送装置３と、四重極ロッドセットマスフィルタ４と、ガスまたは反応セル５と、直交加速式飛行時間質量分析器６と、を備える。様々な異なるタイプの実験は、この計測器ジオメトリを利用して行なわれてもよい。特に、好ましくは、イオン移動度分析計またはセパレータ装置２の下流に配置される四重極マスフィルタ４は特定の親または前駆イオンを選択するために利用されてよい。
【００５９】
一実施形態によると、イオンはイオン移動度分析計またはセパレータ装置２においてそれらのイオン移動度に応じて分離されてよい。イオンは、次に、好ましくはインターフェース、移送装置または移送領域３を通って、好ましくは、分解能モードで動作するように配置される四重極マスフィルタ４まで搬送される。四重極マスフィルタ４は、好ましくは、イオン移動度分析計またはセパレータの単一サイクルまたは単一の分離サイクル内にイオン移動度分析計またはセパレータ装置２から溶離する目的とする成分間を切り換え、これによって改良された選択性（イオン移動度及び質量電荷比分離の部分的直交性質に起因）と更には改良されたデューティサイクル（四重極濾過前のイオンの時間的先行分離に起因）をもたらす。この取り組みは、目的とする成分の質量電荷比及びイオン移動度がライブラリ／方法展開段階から誘導される両方の対象実験及びまた質量電荷比及びイオン移動度が初期サーベイスキャンから誘導されるデータ依存式取得（「ＤＤＡ」）のために標準ＭＳＭＳ取り組みに比べてかなりの改善をもたらす。
【００６０】
図２は、単一の分離サイクル中に図１に示される質量分析計内での位置Ａ、Ｂ及びＤにおけるイオン移動度実験の開始に関して２つの目的とするイオンの時間的分離を示す。
【００６１】
図２では、イオンが位置Ａに到達するのにかかる時間はイオンの移動度によって決定される。このイオン移動度は２成分の時間的分離によって示されるような分離機構を提供する。この２つの目的とする成分はまた図２に示されるような異なる質量電荷比値を有する。ただし、位置Ａにおいて、質量電荷比に基づいた分離はまだ発生していない。
【００６２】
イオン移動度分析計またはセパレータ領域２を出ると、イオンは、好ましくは、インターフェースまたは移送領域３に入り、このインターフェースまたは移送領域３は、一実施形態によると、進行波イオンガイド（「ＴＷＩＧ」）を備えてもよい。このインターフェースまたは移送領域３は、好ましくは、イオン移動度分析計またはセパレータ装置２の圧力と四重極マスフィルタ４の圧力との間の中間圧力に維持される。この進行波イオンガイドは、好ましくは、位置Ｂにおける時間は更に進行波イオンガイドの長さ及び進行波の速度に関連している値ＴＢ−ＴＡだけ増大されるようにイオンを一定速度で搬送する。例えば、３００ｍ／ｓの進行波速度で動作される５０ｍｍ長さの進行波イオンガイドは、約１６７μｓの時間的シフトを導入するであろう。繰り返すが、計測器内のこの位置において質量電荷分離はまだ発生していない。
【００６３】
この時点におけるイオンが成分１及び２に関連した及び成分１及び２と類似の時間においてフラグメントイオンを含み得るとはいえ、ガスセル５を通過するイオンが位置Ｄに到達するための類似の時間シフトが観察される。例示の目的でのみ、図２に示されるこの２成分は、フラグメンテーションを受けていない。位置Ｂと位置Ｃとの間にイオンが移動するにつれて、それらは好ましくは分解型四重極マスフィルタ４を通過し、好ましくは、近似の時間において成分１及び２の質量電荷比を順次に切り離して、これによって選択性及びデューティサイクルを改善する。
【００６４】
上記の取り組みは従来のシステムに比べて重要な利点をもたらす。しかしながら、取り組みは、にもかかわらず、何らかの制限を受ける。本発明はこれらの制限のいくつかに対応するように努めている。
【００６５】
図１を参照して前述したこの取り組み１つの欠点は、接近して溶離している２成分間のイオン移動度分析計またはセパレータ分離時間が、分解型四重極マスフィルタ４が２つの質量電荷比設定間を切り換えることができる速度よりもかなり短い点である。
【００６６】
四重極マスフィルタ４が、異なる質量電荷比設定間を切り換えるのにかかる時間は、様々な電子部品の整定時間及び分解型四重極マスフィルタ４を通る飛行時間を含むいくつものパラメータに依存している。この切り換え時間の典型的な値は、１ｍｓのオーダーである。対照的に、リニアドリフト管イオン移動度分析計またはセパレータ装置を通る５ｍｓの公称通過時間を有し、かつ５０（ＦＷＨＭ）の分解能で動作する２つのベースライン分解成分は、２００μｓのみによって時間通りに分離される可能性がある。したがって、四重極４がこのタイムスケールで質量電荷比輸送窓を切り換えられない可能性があることが明らかであろう。
【００６７】
図３は、イオン移動度分析計またはセパレータ装置２間のタイムスケールの差及び四重極マスフィルタ４の切り換えがどのように単離段階の効果を制限するかをより詳細に示す。図３は、５０（ＦＷＨＭ）の近似イオン移動度分析計またはセパレータ分解能において動作するシステムを示し、かつ５ｍｓの公称通過時間で位置Ｂ（すなわち、イオン移動度分析計またはセパレータ装置２の出口において）に到達する２成分を示す。しかしながら、２成分は実際には０．４ｍｓによって分離され、かつしたがって十分にベースライン分解される。四重極マスフィルタ４は、成分１の最後がイオン移動度分析計またはセパレータ装置２から溶離した直後の時間Ｔｓにおいて切り換えられる。しかしながら、四重極マスフィルタ４がこれらの２成分間で選択するために質量電荷比輸送窓を切り換えるのにかかる時間はＴｑであり、かつ成分２が時間Ｔｓ＋Ｔｑ前に四重極マスフィルタ４に到達することは図３から明らかである。その結果、マスフィルタ４が成分２に対応する質量電荷比を有するイオンを輸送するべく切り換えるのに十分な時間を持つ前に成分２はマスフィルタ４に到達することになる。結果として、成分２はマスフィルタ４によって前方へ輸送されないであろう。これは濾過または単離段階の分解能を事実上制限する。
【００６８】
本発明の一実施形態によると、この取り組みに対する改善は、イオン移動度分析計またはセパレータ装置２と四重極マスフィルタ４との間にインターフェースまたは移送装置３を導入することにより及び単一の分離サイクル中にインターフェースまたは移送領域３を横切ってまたは通っての通過時間を変更することにより成分２を遅延することである。このことは、成分１が単一の分離サイクル中にインターフェースまたは移送装置３から排出したかまたは出射した後に、例えば、インターフェースまたは移送イオンガイド３に適用された進行波の速度を変更（すなわち、低減）することによって達成され得る。
【００６９】
図４は、成分１がインターフェースまたは移送進行波イオンガイド３を排出した後インターフェースの電極に適用された進行波の速度を３００ｍ／ｓから６０ｍ／ｓまで低減することの効果を示す。５０ｍｍの長さを有する移送進行波イオンガイド３について、成分２がインターフェースまたは移送進行波イオンガイド３を横断する通過時間は８３３μｓだけ増大される。このシフトまたは通過時間の増大によって、四重極マスフィルタ４が切り換えて、かつ整定するのに十分な時間を持った後に成分２が四重極マスフィルタ４に到達することが確実になる。これによって成分２の前方への送信を確実にさせる。この場合、単離段階の分解能はここでインターフェースまたは移送装置３を通る通過時間に関連している。
【００７０】
一定のイオン移動度分析計またはセパレータ分解能に対して時間内での分離が、関係式Ｔ＝Ａ×ＫＸにおける次数（Ｘ）に依存する進行波に基づいたイオン移動度分析計またはセパレータ装置などのリニアドリフト管を用いないイオン移動度分析計またはセパレータ計測器についてかなり異なり得ることは注目するに値する、ここにＴがドリフト時間であり、Ｋが移動度であり、かつＡは定数である。この差は前述の四重極切り換え制限の効果を支援するかまたは妨害し得る。
【００７１】
図３を参照して前述した取り組み第２の欠点は、任意の成分の時間圧縮及びイオン検出システムデジタル化の限られた強度スケールに起因してイオン移動度分離がやはりＭＳ−Ｑ−ＴｏＦ質量分析計のイオン検出器システムのダイナミックレンジに対してかなりの制限を導入することである。
【００７２】
図５は、図１の位置Ｄにおいて、すなわちガスセル５の出口おいてＩＭＳ−質量電荷比空間においてうまく分離されかつ単離された２成分を示す。
【００７３】
更なる実施形態によると、ガスセル５は図６に示されるようなイオン移動度分析計またはセパレータピークの忠実度のある程度の喪失を許容するように構成されてよい。その結果、相当数の直交加速式飛行時間押し出しが、成分を分析するために現在使用されている。Ｔこれはシステムのダイナミックレンジを有利に増大させる。忠実度の喪失の程度の選択を２成分の分離の程度に基づかせることができる。
【００７４】
上記の両方の例において、２成分の選択は記述的な目的のみである。実際問題として、２つを超える成分は分離または分解能などに応じて選択されてよい。
【００７５】
前方に透過しているイオンは、フラグメンテーション、質量測定またはイオン移動度測定、その他などの分析手法に従ってよい。
【００７６】
この記載された取り組みは、他の高速前置四重極セパレータイオントラップ及び質量電荷比セパレータなどとともに適用される更なる実施形態が想到される。
【００７７】
別の余り好適でない実施形態によると、通過時間遅れを切り換える代わりに、イオンは代替的に空間内で、異なる移送装置であって、それぞれが異なる有効通過時間を有する移送装置へ切り換えられてよい。
【００７８】
別の実施形態によると、軸方向磁場などの進行波以外の取り組みを利用する移送装置３が使用されてよい。
【００７９】
他の計測器改善は好ましい実施形態に係る取り組みを介してアクセスすることができる。例えば、成分は、過剰分離されるならば、遅れずに共に押し出されることができ、イオン移動度分析計またはセパレータのより短いサイクル時間を許容し、よって究極的に前置イオン移動度分析計またはセパレータアキュムレータにおける空間電荷効果を低減させる。
【００８０】
遅延シフトは、イオン移動度分析計またはセパレータ装置２と同じ圧力で動作する装置によって導入されてよい。
【００８１】
この遅延シフトはまた、イオン移動度分析計またはセパレータ装置２それ自身のパラメータを変更することによって導入されることができる。
【００８２】
時間軸の連続延長は、走査四重極マスフィルタ４がイオン移動度分析計またはセパレータ装置２から溶離しているイオンを追跡する能力を改善するかまたは、例えば、直交加速式飛行時間質量分析器６によるイオン移動度分析計またはセパレータ装置２のデジタル化を改善するように進行波速度を連続的にかつ単調に遅らせることによって実現され得る。
【００８３】
長さの関数として変動する通過速度を有する移送装置３とともに蓄積領域を有する移送装置が利用され得る。
【００８４】
四重極マスフィルタ４は、好ましくは、時間及び質量電荷比の両方において単離を提供する。しかしながら、実際問題として、異なる装置は時間単離（例えば、イオンゲート７）及び質量電荷比単離（例えば、四重極マスフィルタ４）を提供するために使用されてよい。図７はこのタイプの幾何形状の一例の模式図を示す。
【００８５】
図７に示す実施形態において、目的とする成分を含む領域に対応する時間領域はイオンゲート７によって選択される。このイオンゲート７はイオン移動度分析計またはセパレータ装置２または移送装置３の一部であってよい、そして例示のみの目的で別体の構成要素として図７に示される。この時間選択領域は、次いで、移送進行波イオンガイド３によって仕切られ、かつ分解型四重極マスフィルタ４への効率的な送達を可能にするように目的とする成分が移送進行波イオンガイド３を通過するにつれてそれらの時間的分離が調節されてよい。先述した蓄積領域を有する位置依存進行波速度進行波イオンガイドはこの取り組みにとって特に有益である。
【００８６】
本発明は好適な実施形態を参照して記載されたが、添付の特許請求の範囲に明記されている本発明の範囲を逸脱することなく形態及び細部の様々な変更がなされ得ることが当業者によって理解されるであろう。
【図１】
0006389480.tif 000002
【図２】
0006389480.tif 000003
【図３】
0006389480.tif 000004
【図４】
0006389480.tif 000005
【図５】
0006389480.tif 000006
【図６】
0006389480.tif 000007
【図７】
0006389480.tif 000008